(57)【要約】【課題】互いに清掃用途が異なる複数の機能を実現できて掃除モードが変更可能であり、手間を省いて効率的な清掃を行うことができる電気掃除機ヘッドを提供する【解決手段】掃除機本体１１の本体風路に連通可能な第１風路２３を有する第１部品２１と、互いに異なる位置に設けられた複数の掃除機能部４０と、各掃除機能部４０と第１風路２３との間を連通可能な複数の第２風路３７ａ，３７ｂと、を有し、第１部品２１に連結されて傾斜角度を多段階に変更可能な第２部品２２と、を備え、第１部品２１に対する第２部品２２の傾斜角度を変えることで、複数の掃除機能部４０の一部を使用可能に配置するとともに対応する第２風路３７ａ，３７ｂを第１風路２３に連通して、使用可能な掃除機能部４０を切替え可能にしている。【選択図】図６
2017136303.tif 000002
【特許請求の範囲】
【請求項１】
掃除機本体の本体風路に連通可能な第１風路を有する第１部品と、
互いに異なる位置に設けられた複数の掃除機能部、及び前記各掃除機能部と前記第１風路との間を連通可能な複数の第２風路を有し、前記第１部品に連結されて傾斜角度を多段階に変更可能な第２部品と、を備え、
前記第１部品に対する前記第２部品の前記傾斜角度を変えることで、前記複数の掃除機能部の一部を使用可能に配置するとともに対応する前記第２風路を前記第１風路に連通して、使用可能な前記掃除機能部を切替え可能であることを特徴とする電気掃除機ヘッド。
【請求項２】
前記第２部品は、前記傾斜角度を変更不能な固定姿勢と、前記傾斜角度を変更自在な可変姿勢と、を選択可能に設けられていることを特徴とする請求項１に記載の電気掃除機ヘッド。
【請求項３】
前記固定姿勢と前記可変姿勢とは、前記第１部品に対する前記第２部品の傾斜方向の互いに異なる位置に設けられていることを特徴とする請求項２に記載の電気掃除機ヘッド。
【請求項４】
前記複数の掃除機能部は、箒ブラシ部及び該箒ブラシ部の近傍に開口した箒吸引口を有する箒機能部と、通常用吸引口を有する通常掃除機機能部と、を含み、
前記箒機能部は前記固定姿勢で使用可能であり、前記通常掃除機機能部は前記可変姿勢で使用可能であることを特徴とする請求項２又は３に記載の電気掃除機ヘッド。
【請求項５】
前記第２部品は扁平形状を有し、前記箒ブラシ部は前記第２部品の厚みに対応する先端面に設けられていることを特徴とする請求項４に記載の電気掃除機ヘッド。
【請求項６】
前記箒ブラシ部における少なくとも一部のブラシは、前記通常掃除機機能部の固定ブラシを兼ねることを特徴とする請求項５に記載の電気掃除機ヘッド。
【請求項７】
前記箒ブラシ部は、前記第１部品に連結されて傾斜角度を多段階に変更可能な第２部品本体に取外し可能に装着されたアタッチメントブラシからなることを特徴とする請求項４乃至６のいずれか１項に記載の電気掃除機ヘッド。
【請求項８】
前記第２部品本体には、前記アタッチメントブラシを離脱させるためのリリースボタンを備えていることを特徴とする請求項７に記載の電気掃除機ヘッド。
【請求項９】
前記第２部品を前記傾斜角度の位置を規制する位置規制機構を備え、前記位置規制機構は、踏み込むことで位置規制を解除可能で、前記傾斜角度を変えることが可能なフットボタンを有することを特徴とする請求項１乃至８のいずれか１項に記載の電気掃除機ヘッド。
【発明の詳細な説明】
【技術分野】
【０００１】
本発明は、複数の機能を実現できる電気掃除機ヘッドに関する。
【背景技術】
【０００２】
従来、電気掃除機ヘッドには種々の形状が存在しており、掃除用途に適した電気掃除機ヘッドを用いることで、各種の掃除機能を実現していた。
下記特許文献１には、通常用吸引口と隙間用吸引口との２種類の形式の吸引口を提供できるようにした掃除機吸引口が提案されている。この掃除機吸引口はパイプの先端に２つの中空ヘッドを左右に開閉可能に設けている。２つの中空ヘッドは、展開させると通常用吸引口として使用可能で、互いに対向させて閉じると隙間用吸引口として使用可能で、吸込口の形状が変形可能となっていた。
【先行技術文献】
【特許文献】
【０００３】
【特許文献１】特開２００１−２１２０３８号公報
【発明の概要】
【発明が解決しようとする課題】
【０００４】
しかしながら、箒ブラシを有する電気掃除機ヘッドと吸込口を有する電気掃除機ヘッドとのように、機能を大きく異ならせて掃除モードを変更する場合には、掃除機本体に対して電気掃除機用ヘッドを交換することが必要であった。
そのため掃除用途に合わせて電気掃除機ヘッドを交換しなければならず、交換の手間がかかり効率的ではなかった。
【０００５】
そこで本発明では、互いに清掃用途が異なる複数の機能を実現できて掃除モードが変更可能であり、手間を省いて効率的な清掃を行うことができる電気掃除機ヘッドを提供することを目的とする。
【課題を解決するための手段】
【０００６】
上記の目的を達成するために、本発明は以下の手段を提供している。
【０００７】
本発明の電気掃除機ヘッドは、掃除機本体の本体風路に連通可能な第１風路を有する第１部品と、互いに異なる位置に設けられた複数の掃除機能部、及び前記各掃除機能部と前記第１風路との間を連通可能な複数の第２風路を有し、前記第１部品に連結されて傾斜角度を多段階に変更可能な第２部品と、を備え、前記第１部品に対する前記第２部品の前記傾斜角度を変えることで、前記複数の掃除機能部の一部を使用可能に配置するとともに対応する前記第２風路を前記第１風路に連通して、使用可能な前記掃除機能部を切替え可能であることを特徴としている。
【０００８】
本発明によれば、複数の掃除機能部を有する第２部品の傾斜角度を変えることで使用可能な掃除機能部を切替えることができる。そのため１つの電気掃除機ヘッドで複数の掃除機能を実現でき、掃除機能毎にヘッド交換操作を行うような手間を省いて効率的な掃除を行うことができる。
特に第２部品の傾斜角度を変えることで、複数の掃除機能部の一部を使用可能に配置するとともに対応する第２風路を第１風路に連通することができる。そのため掃除用途が大きく異なる掃除機能を有する複数の掃除機能部を同じ第２部品に設け易く、１つの電気掃除機ヘッドで掃除モードを容易に変更することが可能である。
従って、互いに清掃用途が異なる複数の機能を実現できて掃除モードが変更可能であり、手間を省いて効率的な清掃を行うことができる電気掃除機ヘッドを提供することができる。
【０００９】
本発明の電気掃除機ヘッドでは、前記第２部品は、前記傾斜角度を変更不能な固定姿勢と、前記傾斜角度を変更自在な可変姿勢と、を選択可能に設けられていることを特徴としていてもよい。
【００１０】
本発明の電気掃除機ヘッドによれば、固定姿勢では使用可能な掃除機能部を固定して配置でき、可変姿勢では使用可能な掃除機能部を傾斜自在に配置できる。そのため使用可能な掃除機能部の機能に応じて適宜選択することで、各掃除機能部の機能を実現させ易くできる。
【００１１】
本発明の電気掃除機ヘッドでは、前記固定姿勢と前記可変姿勢とは、前記第１部品に対する前記第２部品の傾斜方向の互いに異なる位置に設けられていることを特徴としていてもよい。
【００１２】
本発明の電気掃除機ヘッドによれば、第１部品に対する第２部品の傾斜角度を適宜調整することで、使用可能な掃除機能部を選択できるとともにその掃除機能部の機能に応じた状態で配置することができる。そのため第２部品の傾斜角度の調整で掃除機能部の選択と配置とを同時に行うことができ、より手間を省いて効率的な掃除が可能である。
【００１３】
本発明の電気掃除機ヘッドでは、前記複数の掃除機能部は、箒ブラシ部及び該箒ブラシ部の近傍に開口した箒吸引口を有する箒機能部と、通常用吸引口を有する通常掃除機機能部と、を含み、前記箒機能部は前記固定姿勢で使用可能であり、前記通常掃除機機能部は前記可変姿勢で使用可能であることを特徴としていてもよい。
【００１４】
本発明の電気掃除機ヘッドによれば、箒ブラシ部を有する箒機能部が固定姿勢で使用可能であるため、掃き掃除を行う際、箒ブラシ部の傾斜角度が変わらない。そのため所望の位置に箒ブラシ部を的確に接触させることができて掃き掃除を行い易い。また、通常用吸引口を有する通常掃除機機能部が可変姿勢で使用可能であるため、通常掃除機機能部を移動させて床面を吸引する際、床面に沿って通常掃除機機能部を配置した状態を保ち易い。そのため床面を吸引する掃除を行い易い。よって何れの掃除モードにおいても使い勝手がよい。
【００１５】
本発明の電気掃除機ヘッドでは、前記第２部品は扁平形状を有し、前記箒ブラシ部は前記第２部品の厚みに対応する先端面に設けられていることを特徴としていてもよい。
【００１６】
この場合には、箒機能部を使用可能に配置して電気掃除機ヘッドを第２部品の側面の長手方向に沿って移動させれば、第２部品の厚みに応じた狭い隙間内であっても掃き掃除を行うことができる。
一方、電気掃除機ヘッドの第２部品を側面の短手方向に沿って移動させれば、広い床面を掃き掃除を行うことができる。そのため狭い隙間であっても広い床面であっても、通常の箒と同様に掃き掃除を行うことができる。
【００１７】
本発明の電気掃除機ヘッドでは、前記箒ブラシ部における少なくとも一部のブラシは、前記通常掃除機機能部の固定ブラシを兼ねることを特徴としていてもよい。
【００１８】
本発明の電気掃除機ヘッドによれば、箒ブラシ部の少なくとも一部のブラシが通常掃除機機能部の固定ブラシを兼ねているので、部品点数を抑えることができる。
【００１９】
本発明の電気掃除機ヘッドでは、前記箒ブラシ部は、前記第１部品に連結されて傾斜角度を多段階に変更可能な第２部品本体に取外し可能に装着されたアタッチメントブラシからなることを特徴としていてもよい。
【００２０】
本発明の電気掃除機ヘッドによれば、箒ブラシ部の毛材が使用により劣化した際などに、アタッチメントブラシだけを交換して第２部品本体をそのまま使用することができる。そのため電気掃除機ヘッドの長期間の使用が可能である。  
【００２１】
本発明の電気掃除機ヘッドでは、前記第２部品本体には、前記アタッチメントブラシを離脱させるためのリリースボタンを備えていることを特徴としていてもよい。
【００２２】
この場合には、リリースボタンによりアタッチメントブラシを離脱させることができるため、アタッチメントブラシの着脱が容易である。
【００２３】
本発明の電気掃除機ヘッドでは、前記第２部品を前記傾斜角度の位置を規制する位置規制機構を備え、前記位置規制機構は、踏み込むことで位置規制を解除可能で、前記傾斜角度を変えることが可能なフットボタンを有することを特徴としていてもよい。
【００２４】
この場合には、フットボタンを踏み込むことで第２部品の傾斜角度の位置規制を解除し、その位置規制を開放して第２部品を別の傾斜角度の位置に変更することができる。このように、第２部品の傾斜角度の位置調整を足を使って行うことができ、操作の手間を簡略化できる。
【発明の効果】
【００２５】
本発明の電気掃除機ヘッドによれば、第２部品の傾斜角度を変えることで、複数の掃除機能部の一部を使用可能に配置するとともに対応する第２風路を第１風路に連通することができる。そのため掃除用途が大きく異なる掃除機能を有する複数の掃除機能部を同じ第２部品に設け易く、１つの電気掃除機ヘッドで掃除モードを容易に変更することが可能である。
従って、互いに清掃用途が異なる複数の機能を実現できて掃除モードが変更可能であり、手間を省いて効率的な清掃を行うことができる電気掃除機ヘッドを提供することができる。
【図面の簡単な説明】
【００２６】
【図１】本発明の実施形態による電気掃除機ヘッドの斜視図であり、箒機能部が使用可能に配置された状態を示している。
【図２】本実施形態による電気掃除機ヘッドの側面図であり、箒機能部が使用可能に配置された状態を示している。
【図３】本実施形態による電気掃除機ヘッドの断面図であり、箒機能部が使用可能に配置された状態を示している。
【図４】本実施形態による電気掃除機ヘッドの斜視図であり、通常掃除機機能部が使用可能に配置された状態を示している。
【図５】本実施形態による電気掃除機ヘッドの側面図であり、通常掃除機機能部が使用可能に配置された状態を示している。
【図６】本実施形態による電気掃除機ヘッドの断面図であり、通常掃除機機能部が使用可能に配置された状態を示している。
【図７】本実施形態による電気掃除機ヘッドの位置規制機構の動作説明図であり、（ａ）は第２部品を固定姿勢に配置した状態、（ｂ）は位置規制を解除した状態、（ｃ）は位置規制を解除後に第２部品を可変姿勢まで傾斜させた状態、（ｄ）は第２部品を可変姿勢に配置した状態を示す。
【図８】本実施形態による電気掃除機ヘッドの箒ブラシ部において、アタッチメントブラシを着脱する状態を示す斜視図である。
【図９】本実施形態による電気掃除機ヘッドの箒機能部を使用する状態を示す斜視図である。
【図１０】本実施形態による電気掃除機ヘッドの通常掃除機機能部を使用する状態を示す斜視図である。
【図１１】本実施形態による電気掃除機ヘッドの通常掃除機機能部を使用する状態を示す側面図である。
【発明を実施するための形態】
【００２７】
以下、図面を参照し、本発明の一実施形態による電気掃除機ヘッドについて説明する。
図１乃至図３は、この実施形態の電気掃除機ヘッドの斜視図、側面図、縦断面図であり、後述する箒機能部が使用可能に配置された状態を示している。また図４乃至図６は、同じく実施形態の電気掃除機ヘッドの斜視図、側面図、縦断面図であり、後述する通常掃除機機能部が使用可能に配置された状態を示している。
【００２８】
本実施形態の電気掃除機ヘッド２０を備えた電気掃除機１０は、掃除機本体１１と、掃除機本体１１に直接連結された電気掃除機ヘッド２０と、を備えている。
この実施形態では、掃除機本体１１は軸Ｌｍに沿って縦長に設けられ、電気掃除機ヘッド２０に近接する位置に吸引用の電動機等が装着され、電気掃除機ヘッド２０から離間した側に図示しない取っ手等が設けられている。
重心が電気掃除機ヘッド２０に近接する位置に設定されており、使用者が電気掃除機ヘッド２０を下側に配置して立てた状態で取っ手を把持して使用可能となっている。
【００２９】
電気掃除機ヘッド２０は、掃除機本体１１に連結された第１部品２１と、第１部品２１に連結された第２部品２２と、を有する。
第１部品２１は、内部に第１風路２３を有し、風路連結部２５により掃除機本体１１の本体風路１３に連通されている。
第１部品２１の一方側は、第１ヒンジ部２７を介して掃除機本体１１に連結されている。第１ヒンジ部２７では、軸Ｌｍと直交する揺動軸Ｌ１を中心に第１部品２１が揺動自在となっている。
【００３０】
第１部品２１の他方側は、第２ヒンジ部２９を介して第２部品と連結されている。第２ヒンジ部２９では、傾斜中心軸Ｌ２を中心に第２部品２２が第１部品２１に対して傾斜可能となっている。傾斜中心軸Ｌ２は軸Ｌｍと直交するとともに揺動軸Ｌ１と離間して直交している。
第２ヒンジ部２９には、傾斜中心軸Ｌ２を中心に一定の曲率半径で形成された円弧状部３１が傾斜中心軸Ｌ２に沿って延設されている。円弧状部３１には第１風路２３の連通路２３ａが軸Ｌｍに沿って貫通して設けられている。
【００３１】
第２部品２２は、傾斜中心軸Ｌ２に沿う横幅が広く、かつ揺動軸Ｌ１に沿う厚みが軸Ｌｍに沿う縦幅より狭い扁平形状に形成されている。
横幅の中間部分には、傾斜中心軸Ｌ２に沿う連結凹部３３が軸Ｌｍ方向に凹んで設けられている。連結凹部３３の横幅方向両側の内側面部３３ａ間に第２ヒンジ部２９の円弧状部３１が収容されることで、第２部品２２が第２ヒンジ部２９を介して第１部品２１と連結されている。
第２部品２２における第２ヒンジ部２９の円弧状部３１との連結部位には、傾斜中心軸Ｌ２に沿って円弧溝部３５が延設されている。円弧溝部３５と第２ヒンジ部２９円弧状部３１の外表面とは相対回動可能に摺接している。
【００３２】
第２部品２２の外面側には、傾斜中心軸Ｌ２を中心に傾斜する方向に互いに異なる位置に、複数の掃除機能部４０が設けられている。この実施形態では、複数の掃除機能部４０として、掃き掃除を行いつつ塵埃やゴミを吸引する箒機能部４１と、床面等に沿って移動させることで床面の塵埃やゴミを吸引する通常掃除機機能部４７と、が設けられている。
【００３３】
箒機能部４１は、第２部品２２の厚みに対応する一方の先端面２２ｂ（図３参照）に設けられ、箒ブラシ部４２と、箒ブラシ部４２近傍の第２部品２２の先端面２２ｂに形成された第２風路３７ａの開口に連通する箒吸引口４３と、を有する。箒ブラシ部４２近傍とは、箒ブラシ部４２により掃き掃除する際に箒ブラシ部４２が接触する床面Ｆの塵埃を吸引できる位置であればよく、この実施形態では箒ブラシ部４２のブラシ毛束４４間の隙間に開口している。
【００３４】
また箒ブラシ部４２は、図８に示すように、第２部品本体２２ａに取外し可能に装着されたアタッチメントブラシ４５により構成されている。アタッチメントブラシ４５は、第２部品本体２２ａに固定可能なベース部４５ｂと、ベース部４５ｂに植毛された複数のブラシ毛束４４と、を有している。
第２部品本体２２ａには、アタッチメントブラシ４５を強制的に離脱させるためのリリースボタン４６が設けられている。
【００３５】
図５及び図６に示すように、通常掃除機機能部４７は、第２部品２２の側面２２ｃに形成された第２風路３７ｂの開口からなる通常用吸引口４８を有する。この実施形態では、箒ブラシ部４２における一部のブラシ毛束４４が通常掃除機機能部４７の固定ブラシ部を兼ねている。
【００３６】
第２部品２２の内部には、第１部品２１に設けられた第１風路２３と各掃除機能部４０との間を連通するための複数の第２風路３７ａ，３７ｂが設けられている。第１風路２３の連通路２３ａが第２ヒンジ部２９の円弧状部３１に貫通して設けられているため、各第２風路３７ａ，３７ｂは円弧溝部３５に開口して設けられている。第２風路３７ａの端部開口が箒吸引口４３となっている。
箒機能部４１と円弧溝部３５との間に設けられた第２風路３７ａは、傾斜中心軸Ｌ２に方向に長い貫通長孔により形成されている。
通常掃除機機能部４７と円弧溝部３５との間に設けられた第２風路３７ｂは、第２部品２２の第２ヒンジ部２９側となる端縁側を除去した面取部により形成されている。
各第２風路３７ａ，３７ｂはそれぞれ独立して設けられている。
【００３７】
この第２部品２２は、第２ヒンジ部２９において回動させることで、第１部品２１に対して傾斜を変更させることができ、傾斜中心軸Ｌ２を中心に傾斜角度を多段階に変更可能となっている。
第１部品２１に対する第２部品の傾斜角度を変更することで、第２部品２２に設けられた複数の掃除機能部４０の一部を使用可能に配置することができ、またその掃除機能部４０に対応する第２風路３７ａ，３７ｂを第１風路２３に連通することができる。
【００３８】
この実施形態では、図５及び図６に示すように、第２部品２２の第１部品２１との連結部位には、第２部品２２の傾斜角度を変更不能に固定して第２部品２２を配置する固定姿勢５１と、第２部品２２の傾斜角度を所定の傾斜範囲内で変更自在に第２部品２２を配置する可変姿勢５２と、が選択可能に設定されている。そして、可変姿勢５２となるように第２部品２２が配置されると、第２部品２２が第１部品２１に対して傾斜範囲内で容易に傾斜可能となる。
この実施形態では、固定姿勢５１は、第２部品２２の厚み方向が軸Ｌｍと直交するように第２部品２２が配置される姿勢で設定されている。また、可変姿勢５２は、第２部品２２の厚み方向が軸Ｌｍと斜めになるように第２部品２２が配置される姿勢に設定されている。
【００３９】
一方、第２部品２２の第２ヒンジ部２９における連結部位には、風路切替機構が構成されている。
即ち、円弧状部３１には第１風路２３の連通路２３ａが設けられ、この円弧状部３１に摺接して回動する円弧溝部３５には掃除機能部４０毎に第２風路３７ａ，３７ｂが設けられている。第１部品２１に対する第２部品の傾斜角度を変更すると、円弧状部３１と円弧溝部３５とが相対回動して連通路２３ａと複数の第２風路３７ａ，３７ｂとの位置関係が変化する。
所定の位置関係では複数の第２風路３７ａ，３７ｂの一部が第１風路２３と連通し、他の第２風路３７ａ，３７ｂの円弧溝部３５における開口が円弧状部３１の表面により閉塞される。第１風路２３の連通路２３ａと第２風路３７ａ，３７ｂとが連通された掃除機能部４０の一部に対してのみ、掃除機本体１１の吸引力を作用させることができる。
【００４０】
この実施形態では、箒機能部４１は、図１乃至図３に示すように、固定姿勢５１で使用可能となる。このとき箒ブラシ部４２近傍の箒吸引口４３に開口した第２風路３７ａが第１風路２３の連通路２３ａが連通し、通常掃除機機能部４７の通常用吸引口４８に連なる第２風路３７ｂは閉塞されている。
また通常掃除機機能部４７は、図４乃至図６に示すように、可変姿勢５２で使用可能となる。このとき箒ブラシ部４２近傍の箒吸引口４３に開口した第２風路３７ａが第１風路２３の連通路２３ａが連通し、通常掃除機機能部４７の通常用吸引口４８に連なる第２風路３７ｂは閉塞されている。
【００４１】
さらにこの実施形態では、第２部品２２の連結凹部３３の横幅方向両側の内側面部３３ａと第２ヒンジ部２９の円弧状部３１における横幅方向両側の端部との間には、第１部品２１に対する第２部品２２の傾斜方向の位置を規制するために、図７に示すような位置規制機構５３が設けられている。
図７は位置規制機構５３の動作説明図であり、（ａ）は第２部品２２を固定姿勢５１に配置した状態、（ｂ）は位置規制を解除した状態、（ｃ）は位置規制を解除後に第２部品２２を可変姿勢５２まで傾斜させた状態、（ｄ）は第２部品２２を可変姿勢５２に配置した状態を示している。
【００４２】
位置規制機構５３は、第２ヒンジ部２９の円弧状部３１における横幅方向両側の端部において、傾斜中心軸Ｌ２に沿って第２部品２２の連結凹部３３における横幅方向両側の内側面部３３ａと回動可能に連結する枢支部５４と、第２ヒンジ部２９の円弧状部３１の端部に幅方向に凹ませて設けられた位置規制穴５５と、第２部品２２の連結凹部３３における横幅方向両側の内側面部３３ａに設けられて位置規制穴５５に挿入された可動ピン５６と、第２部品２２に設けられて可動ピン５６を径方向に変位させるフットボタン５７と、を備えている。
【００４３】
位置規制穴５５には、第１部品２１に対する第２部品２２の傾斜方向の位置を規制するために、周縁を径方向外側に凹ませた位置決め部５８ａ，５８ｂが設けられている。
位置決め部５８ａ，５８ｂは、第２部品２２の固定姿勢５１と可変姿勢５２とに対応するように配設されている。固定姿勢５１に対応する位置決め部５８ａは周方向において短く設けられ、可動ピン５６と位置決め部５８ａとが周方向に相対変位不能となっている。また可変姿勢５２に対応する位置決め部５８ｂは周方向に長く設けられ、可動ピン５６と位置決め部５８ｂとが周方向に所定量相対変位可能となっている。
【００４４】
可動ピン５６は第２部品２２の連結凹部３３における横幅方向両側の内側面部３３ａから位置規制穴５５内に突出しており、径方向に変位することで位置決め部５８ａ，５８ｂに係脱可能に配置され、フットボタン５７に連結されている。
フットボタン５７は支点ピン５７ａにより第２部品２２に揺動可能に支持されており、図示しない弾性部材により外側へ付勢されている。
【００４５】
この位置規制機構５３では、図７（ａ）又は（ｄ）に示すように、通常は可動ピン５６が位置決め部５８ａ，５８ｂに係止されている。この状態では、第２ヒンジ部２９に対する第２部品２２の傾斜方向の変位が規制されており、第１部品２１に対する第２部品２２の傾斜角度の変更が規制されている。
第２部品２２のフットボタン５７を踏み込むと、図７（ｂ）又は（ｃ）に示すように、フットボタン５７が揺動し、可動ピン５６が径方向内側へ変位する。これにより可動ピン５６と位置決め部５８ａ，５８ｂとの係止が解除され、第２ヒンジ部２９に対する第２部品２２の傾斜方向の位置規制が解除される。そのため第１部品２１に対する第２部品２２の傾斜角度を所望の角度に変更することができる。
その後、フットボタン５７の踏込みを開放することで、フットボタン５７の位置が弾性部材により復元する。これにより可動ピン５６が径方向外側へ変位し、可動ピン５６が位置決め部５８ａ，５８ｂに係止して、第１部品２１に対する第２部品２２の傾斜角度が所望の角度に保たれる。
【００４６】
図９は電気掃除機ヘッド２０の箒機能部４１を使用する状態を示す斜視図、図１０及び図１１は電気掃除機ヘッド２０の通常掃除機機能部４７を使用する状態を示す斜視図及び側面図である。
このような電気掃除機ヘッド２０を箒モードで用いるには、第２部品２２を図１乃至３に示すように、固定姿勢５１となるように配置し、箒機能部４１を下向きにセットする。この状態では第１部品２１と第２部品２２とは傾斜せずに立てた状態で配置される。第１部品２１と掃除機本体１１との間は揺動軸Ｌ１を中心に揺動自在となっている。
【００４７】
この状態で図示しない取っ手を把持し、例えば図９に示すように、床面Ｆや狭い隙間などの掃き掃除を、塵埃やゴミを吸引しつつ、行うことができる。その際第２部品を立てた状態で箒機能部４１を使用するため、より狭い隙間の掃き掃除を行うことが可能である。
【００４８】
次に、電気掃除機ヘッド２０を通常掃除機モードで用いるには、まず位置規制機構５３のフットボタン５７を踏込んで、第２部品２２を第１部品２１に対して傾斜させる。
図１０及び図１１に示すように、通常掃除機機能部４７を軸Ｌｍに対して傾斜させ、床面Ｆに対向させる。この状態で通常掃除機機能部４７を床面Ｆに沿って移動させることで、床面の塵埃やゴミを通常用吸引口４８から吸引して、通常掃除機モードで床面の掃除を行うことができる。
このとき箒ブラシ部４２におけるブラシ毛束４４を通常掃除機機能部４７の固定ブラシ部と兼用しているので、通常掃除機機能部４７を使用して壁際を掃除する際には、ブラシ毛束４４により壁際の塵埃やゴミを掃出しながら吸引することが可能である。
【００４９】
以上の実施形態における電気掃除機ヘッド２０によれば、複数の掃除機能部４０を有する第２部品２２の傾斜角度を変えることで使用可能な掃除機能部４０を切替えることができる。そのため１つの電気掃除機ヘッド２０で複数の掃除機能を実現でき、掃除機能毎にヘッド交換操作を行うような手間を省いて効率的な掃除を行うことができる。
【００５０】
特に第２部品２２の傾斜角度を変えることで、複数の掃除機能部４０の一部を使用可能に配置するとともに対応する第２風路３７ａ，３７ｂを第１風路２３に連通することができる。そのため掃除用途が大きく異なる掃除機能を有する複数の掃除機能部４０を同じ第２部品２２に設け易く、１つの電気掃除機ヘッド２０で掃除モードを容易に変更することが可能である。
従って、互いに清掃用途が異なる複数の機能を実現できて掃除モードが変更可能であり、手間を省いて効率的な清掃を行うことができる。
【００５１】
この実施形態における電気掃除機ヘッド２０によれば、第２部品２２の傾斜角度を変更不能な固定姿勢５１と、第２部品２２の傾斜角度を変更自在な可変姿勢５２と、を選択可能に設けられている。
そのため固定姿勢５１では使用可能な掃除機能部４０を固定して配置でき、可変姿勢５２では使用可能な掃除機能部４０を傾斜自在に配置できる。これにより使用可能な掃除機能部４０の機能に応じて適宜選択することで、各掃除機能部４０の機能を実現させ易くできる。
【００５２】
この実施形態における電気掃除機ヘッド２０によれば、固定姿勢５１と可変姿勢５２とは、第１部品２１に対する第２部品２２の傾斜方向の互いに異なる位置に設けられている。
そのため第１部品２１に対する第２部品２２の傾斜角度を適宜調整することで、使用可能な掃除機能部４０を選択できるとともにその掃除機能部４０の機能に応じた状態で配置することができる。これにより第２部品２２の傾斜角度の調整で掃除機能部４０の選択と配置とを同時に行うことができ、より手間を省いて効率的な掃除が可能である。
【００５３】
この実施形態における電気掃除機ヘッド２０によれば、箒ブラシ部４２を有する箒機能部４１が固定姿勢５１で使用可能であるため、掃き掃除を行う際、箒ブラシ部４２の傾斜角度が変わらない。そのため所望の位置に箒ブラシ部４２を的確に接触させることができて掃き掃除を行い易い。
また通常用吸引口４８を有する通常掃除機機能部４７が可変姿勢５２で使用可能であるため、通常掃除機機能部４７を移動させて床面Ｆを吸引する際、床面Ｆに沿って通常掃除機機能部４７を配置した状態を保ち易い。そのため床面Ｆを吸引する掃除を行い易い。
よって何れの掃除モードにおいても使い勝手がよい。
【００５４】
この実施形態における電気掃除機ヘッド２０によれば、第２部品２２は扁平形状を有し、箒ブラシ部４２は第２部品２２の厚みに対応する側面に設けられている。
そのため箒機能部４１を使用可能に配置して電気掃除機ヘッド２０を第２部品２２の側面の長手方向に沿って移動させれば、第２部品２２の厚みに応じた狭い隙間内であっても掃き掃除を行うことができる。
一方、電気掃除機ヘッド２０の第２部品２２を側面の短手方向に沿って移動させれば、広い床面Ｆを掃き掃除を行うことができる。
よって狭い隙間であっても広い床面Ｆであっても、通常の箒と同様に掃き掃除を行うことができる。
【００５５】
この実施形態における電気掃除機ヘッド２０によれば、箒ブラシ部４２の少なくとも一部のブラシ毛束４４が通常掃除機機能部４７の固定ブラシ部を兼ねているので、部品点数を抑えることができる。  
【００５６】
この実施形態における電気掃除機ヘッド２０によれば、箒ブラシ部４２のブラシ毛束４４が使用により劣化した際などに、アタッチメントブラシ４５だけを交換して第２部品本体２２ａをそのまま使用することができる。そのため電気掃除機ヘッド２０の長期間の使用が可能である。
【００５７】
この実施形態における電気掃除機ヘッド２０によれば、第２部品本体２２ａには、アタッチメントブラシ４５を離脱させるためのリリースボタン４６を備えているので、アタッチメントブラシ４５の着脱が容易である。
【００５８】
この実施形態における電気掃除機ヘッド２０によれば、第２部品２２を傾斜方向に位置規制する位置規制機構５３を備え、位置規制機構５３は、踏み込むことで位置規制を解除可能で傾斜角度を変えることが可能なフットボタン５７を有している。そのためフットボタン５７を踏み込むことで第２部品２２の傾斜角度の位置規制を解除し、その位置規制を開放して第２部品２２を別の傾斜角度の位置に変更することができる。このように、第２部品２２の傾斜角度の位置調整を足を使って行うことができ、操作の手間を簡略化できる。
【００５９】
以上、本発明に係る電気掃除機ヘッド２０の一実施形態について説明したが、本発明は上記の実施形態に限定されるものではなく、その趣旨を逸脱しない範囲で適宜変更可能である。
例えば上記実施形態では、複数の掃除機能部４０として、箒機能部４１と通常掃除機機能部４７とを備えた例について説明したが、掃除機能部４０は３個以上設けることが可能である。
上記では掃除機本体１１に電気掃除機ヘッド２０を直接連結した例について説明したが、直接に連結されず、ホース等を介して連結された場合でも本発明を適用することは可能である。
また、上記では電気掃除機ヘッド２０を第１部品２１と第２部品２２とにより構成したが、他の部品が連結されていてもよい。
【００６０】
上記実施形態では、第１部品２１と第２部品２２とを第２ヒンジ部２９において連結することで第１部品２１に対して第２部品２２の傾斜角度を変更可能に公正したが、第１部品２１と第２部品２２とを連結部分とは別に傾斜角度を変更できるように構成してもよい。
例えば第１部品２１と第２部品２２とを蛇腹構造の連結部材により連結して傾斜角度を変更可能に構成することも可能である。
また上記では風路連結部２５により第１風路２３と本体風路１３とを連通させたが、直接連通させてもよい。
【符号の説明】
【００６１】
１０  電気掃除機
１１  掃除機本体
１３  本体風路
２０  電気掃除機ヘッド
２１  第１部品
２２  第２部品
２２ａ  第２部品本体
２３  第１風路
２３ａ  連通路
２５  風路連結部
２７  第１ヒンジ部
２９  第２ヒンジ部
３１  円弧状部
３３  連結凹部
３３ａ  内側面部
３５  円弧溝部
３７ａ，３７ｂ  第２風路
４０  掃除機能部
４１  箒機能部
４２  箒ブラシ部
４３  箒吸引口
４４  ブラシ毛束
４５  アタッチメントブラシ
４５ｂ  ベース部
４６  リリースボタン
４７  通常掃除機機能部
４８  通常用吸引口
５１  固定姿勢
５２  可変姿勢
５３  位置規制機構
５４  枢支部
５５  位置規制穴
５６  可動ピン
５７  フットボタン
５７ａ  支点ピン
５８ａ，５８ｂ  位置決め部
Ｆ  床面
【図１】
2017136303.tif 000003
【図２】
2017136303.tif 000004
【図３】
2017136303.tif 000005
【図４】
2017136303.tif 000006
【図５】
2017136303.tif 000007
【図６】
2017136303.tif 000008
【図７】
2017136303.tif 000009
【図８】
2017136303.tif 000010
【図９】
2017136303.tif 000011
【図１０】
2017136303.tif 000012
【図１１】
2017136303.tif 000013